(57)【要約】      （修正有）【課題】耕耘作業時、耕耘爪に土が付着し、作業効率が悪くなる事態を解消する歩行型耕耘機を提供する。【解決手段】走行車輪を備えておらず、耕耘爪の回転により耕耘しながらの走行が可能な車軸ロータリ式の小型耕耘機であって、耕耘爪６の刃先６aに付着した土を除去する着土除去部材１２aを刃先の径方向近傍に設ける。着土除去部材１２aは、泥除け板８と、ギヤケース３に設けられ、エンジンと前記耕耘爪６との間に位置している。着土除去部材１２aは耕耘爪６に沿うように配置されていることにより、耕耘爪６に付着する泥土等をより効果的に除去することができる。【選択図】図２
2011211966.tif 000002
【特許請求の範囲】
【請求項１】
下方に突出する出力軸を有するエンジンと、
前記エンジンより進行方向後方側上方に位置する操作ハンドルと、
前記出力軸の回転により駆動し、前記出力軸の軸方向と略垂直方向に延びる耕耘軸と、
前記耕耘軸の径方向に突出し、外周側が軸方向に折り曲がった刃先を備えた耕耘爪と、
前記刃先と前記耕耘軸の軸方向で重なるとともに、前記耕耘軸が回転することで前記刃先が近傍を通過する位置に設けられた着土除去部材と、
を備えたことを特徴とする歩行型耕耘機。
【請求項２】
前記着土除去部材は前記耕耘爪の前記刃先に沿うように構成されている、
ことを特徴とする請求項１に記載の歩行型耕耘機。
【請求項３】
前記エンジンと前記耕耘爪との間に設けられ、前記耕耘爪を覆う泥除け板を更に備え、前記着土除去部材は前記泥除け板に設けられている、
ことを特徴とする請求項１もしくは請求項２に記載の歩行型耕耘機。
【請求項４】
前記着土除去部材は、前記耕耘軸上に配置され、前記耕耘軸に対して相対回転可能に設けられている、
ことを特徴とする請求項１から請求項３のうち何れか一項に記載の歩行型耕耘機。
【請求項５】
前記耕耘爪は、前記耕耘軸上に複数設けられ、前記着土除去部材は前記複数の耕耘爪がそれぞれ近傍を通過するよう構成されている、
ことを特徴とする請求項１から請求項４のうち何れか一項に記載の歩行型耕耘機。
【請求項６】
前記耕耘軸の軸方向視において、前記耕耘爪は周方向に形成された複数の刃先を備え、前記着土除去部材の周方向長さは、前記周方向に隣り合う刃先の間隔より短い、
ことを特徴とする請求項１から請求項５のうち何れか一項に記載の歩行型耕耘機。
【発明の詳細な説明】
【技術分野】
【０００１】
本発明は、耕耘爪の回転により、走行しながら耕耘作業や除草作業を行なうことができる歩行型耕耘機に関する。
【背景技術】
【０００２】
従来、図４及び図５に示すように、原動機１０４を備えた機体と、機体から後方に延設される操縦ハンドル１１０と、原動機１０４により伝動ケース１０２を介して回転駆動可能に取り付けられた耕耘爪１０６と、伝動ケース１０２の後部に取り付けられて土中に差し込まれた状態で機体に推進抵抗を与える抵抗棒１０７とを備え、耕耘爪１０６の回転により耕耘しながらの走行が可能な車軸ロータリ式の歩行型耕耘機１０１が知られており、抵抗棒１０７を土中に刺して、操縦ハンドル１１０の上下操作によって耕耘爪の前進力を制御しながら、当該耕耘爪を耕土中に沈下させての耕耘作業等を行なうことができるようになっている。
【０００３】
このような耕耘機において、通常、耕耘爪の刃先は耕耘作業時、本体中心部を除き、走行部すべてが耕耘されるよう刃先の回転位置はとなりの耕耘爪の刃先とラップする位置まで伸びている。
【先行技術文献】
【特許文献】
【０００４】
【特許文献１】特開２００２−２４０７５０号公報
【発明の概要】
【発明が解決しようとする課題】
【０００５】
しかし、作業場の土の状態や、本発明のような歩行型耕耘機によっては、走行車輪を備えておらず、耕耘爪の回転により耕耘しながらの走行が可能な車軸ロータリ式の小型耕耘機であるため、耕耘爪の径が小さく、刃先は曲げられており、耕耘作業を続けていくうちに耕耘爪に土が付着していき、耕耘作業の効率が悪くなっていくことがある。
【０００６】
また、土が付着したまま耕耘作業を続けると、土が耕耘爪にこびりつき、耕耘できずに進むだけではなく、耕耘軸部まで土が付着していき、耕耘爪が着脱しにくくなることもある。
【０００７】
本発明は、上記課題に鑑みてなされたものであり、耕耘刃への土付着を抑制できるようにしたものである。
【課題を解決するための手段】
【０００８】
この課題を解決するために、本発明の歩行型耕耘機は、下方に突出する出力軸を有するエンジンと、エンジンより進行方向後方側上方に位置する操作ハンドルと、出力軸の回転により駆動し、出力軸の軸方向と略垂直方向に延びる耕耘軸と、耕耘軸の径方向に突出し、外周側で軸方向に折り曲がった刃先を備えた耕耘爪と、刃先と耕耘軸の軸方向で重なるとともに、耕耘軸が回転することで刃先が近傍を通過する位置に設けられた着土除去部材を備えて構成されていることを特徴とする。
【発明の効果】
【０００９】
本発明によれば、土よけガードの下側で、耕耘爪の刃先外周近傍と内周近傍に着土除去部材を設けたことによって、耕耘の際、耕耘作業を続けていくうちに、あるいは、耕耘作業場の土の状態によって、耕耘刃に土が付着しても、付着した土は該部材に当たり、耕耘爪から除去される。
【図面の簡単な説明】
【００１０】
【図１】本発明の実施形態に係る歩行型耕耘機の斜視図である。
【図２】図１の要部の耕耘爪部分詳細図である。
【図３】本発明の実施形態に係る歩行型耕耘機の動作を示す側面図である。
【図４】従来の歩行型耕耘機の耕耘爪部分詳細図である。
【図５】一般的な歩行型耕耘機の動作を示す図である。
【発明を実施するための形態】
【００１１】
本発明の実施形態を図１から図３により説明する。図１は、実施形態に係る歩行型耕耘機の斜視図、図２は図１の本発明の耕耘爪部分詳細図、図３は歩行型耕耘機の動作を示す耕耘爪部分側面図である。
【００１２】
以下、本発明の第１実施形態を添付の図１から図３に沿って説明する。図１に示すように、歩行型耕耘機（以下、耕耘機）１は、エンジン４の下方に取り付けられるフレーム２と、フレーム２に取付けられるギヤケース３と、ギヤケース３の下端近傍から左右方向に突出して延びる耕耘軸（駆動軸）５に固定された４枚の耕耘爪６と、フレーム２の下方（耕耘爪６側）でギヤケース３に取付けられて耕耘爪６を部分的に覆う泥除け板８と、フレーム２にハンドルフレーム９を介して取付けられ、機体の後方斜め上方に延びる右側ハンドル１０Ｒと左側ハンドル１０Ｌから成るハンドル（操縦ハンドル）１０と、ギヤケース３から後方斜め下方（図の右下方）に伸びる抵抗棒７とを備えている。
【００１３】
エンジン４は、クランク軸（図示せず）がギヤケース３の伸びる方向と同方向（図１の上下方向）を向くようにギヤケース３の上端に設けられる。エンジン４の側部には、燃料タンク、エアクリーナが取付けられ、エンジン４の上部にはスタータハンドルを備えたリコイルスタータ１４が取付けられている。右側の操縦ハンドル１０Ｒの端部近傍にはスロットルケーブルの一方の端部が接続されたスロットルレバー１１が取付けられている。スロットルケーブル１５の他方の端部はキャブレター（図示せず）に接続され、スロットルレバー１６の操作に応じてエンジン３の回転が調整される。
【００１４】
耕耘爪６は、周方向に形成された複数の刃先６ａを備えている。耕耘爪６は伝動軸４１を挟んで左右に二対設けられており、耕耘軸５の軸方向内側に配置された耕耘爪６は、周方向に隣り合う刃先６ａが外周側にて軸方向に交互に異なる方向に折り曲げて形成され、軸方向外側に配置された耕耘爪６は軸方向の伝動軸側（内側）を向いて折り曲げられている。
【００１５】
抵抗棒７は、ギヤケース３の中途部後方に、下方に向けて突出する抵抗棒７を取り付けている。また、エンジン４の下方には、回転する耕耘爪６による土の跳ね上がりを防止すべく、当該耕耘爪６の上方を覆う平板状の泥除け板８を設けている。
【００１６】
泥除け板８は金属板から形成され、フレーム２から前後方向に延びて耕耘刃６を覆っている。
【００１７】
ギヤケース３の内部には、エンジン４のクランク軸（図示せず）の回転を遠心クラッチを介して伝達する伝動軸（出力軸）４１が設けられている。伝動軸の下部には円筒ウォーム４２が形成される。円筒ウォーム４２はギヤケース３の内部で耕耘軸５に固定されたウォームホイール４３に噛み合い、円筒ウォーム４２とウォームホイール４３はウォームギヤ４４を構成する。エンジン４の出力は、伝動軸からウォームギヤ４４を介して耕耘軸５に伝達され、耕耘刃６を回転駆動する。
【００１８】
耕耘時において、作業者は、左右の操縦ハンドル１０Ｌ、１０Ｒを下方に押し付けることによって、抵抗棒７を土中に挿入し、この抵抗棒７にある程度の抵抗を与えることで耕耘作業における機体姿勢の安定を図っている。
【００１９】
泥除け板８の下面及びギヤケース３には、着土除去部材１２ａが設けられている。着土除去部材１２ａは、回転する耕耘爪６の上方で折り曲げられた刃先６ａと耕耘軸５の軸方向でオーバーラップすると共に、径方向外周側の近傍位置に、耕耘爪６の刃先６ａに平行に延びるよう構成されている。刃先６ａは先述の通り耕耘軸５の軸方向に折り曲げられて形成されており、着土除去部材１２ａはそれぞれの傾斜角度に沿うように構成されている。耕耘爪６が回転すると、刃先６ａが着土除去部材１２ａの近傍位置を通過する。泥除け板８に設けられた着土除去部材１２ａは、耕耘軸５の軸方向において隣り合う耕耘爪６の間に配置されており、隣り合う耕耘爪６、６の刃先６ａ、６ａの泥の除去を一つの部材で行えるよう略Ｖ字状に形成されている。
【００２０】
耕耘軸５は、回転する耕耘爪６の折り曲げられた刃先６ａと耕耘軸５の軸方向でオーバーラップすると共に、径方向内周側の近傍位置に耕耘爪６の刃先６ａに平行に配置された着土除去部材１２ｂが設けられている。また、耕耘軸５には内輪及び外輪から構成されるワンウェイクラッチ１３が取り付けられている。
【００２１】
着土除去部材１２ｂは、ワンウェイクラッチ１３の外輪に装着されており、ワンウェイクラッチ１３の内輪は耕耘軸５に固定されている。ワンウェイクラッチ１３は、内輪が耕耘軸５によって回転しても外輪部が回転しないよう構成されている。これにより、耕耘爪６に対して自在に回転可能であるとともに、常に耕耘軸６上方で、耕耘爪６の刃先６ａの内周位置に位置している。また、着土除去部材１２ｂは着土除去部材１２ａと同様隣り合う耕耘爪６に付着した泥土等を一つの部材で除去できるようＶ字状に形成されている。
【００２２】
耕耘爪６の刃先は、耕耘作業時、本体中心部を除き、走行部すべてが耕耘されるよう刃先６ａの回転位置はとなりの耕耘爪６の刃先６ａとラップする位置まで伸びているため、刃先６ａの内周側は耕耘軸５側から着土除去部材１２ｂを設ける必要がある。
【００２３】
また、刃先の回転位置がラップしない耕耘爪６については、着土除去部材１２ａに刃先６ａの内周部に対しても平行な部材を設ければ良い。
【００２４】
なお、耕耘爪６は耕耘軸５にギヤケース２を挟んで左右に２枚ずつ固定されているが、刃先の磨耗状態に応じて耕耘軸５の外側から抜き取ることで交換することができる。
【００２５】
着土除去部材１２ａ及び着土除去部材１２ｂは、耕耘爪６の刃先の近傍位置に配置されているが、その周方向の長さＢは、周方向に複数形成された刃先６ａの隣り合う間隔Ａよりも小さくなるよう構成されている。つまり、耕耘軸５から耕耘爪６を取り外す際に、刃先６ａと隣り合う刃先６ａの間に着土除去部材１２ａもしくは着土除去部材１２ｂを配置して、耕耘軸５の軸方向に引き抜くことで、耕耘爪６の交換を容易に行うことができる。尚、耕耘爪６の刃先６ａが耕耘軸５の軸上に若干ずれて配置されていても同様である。
【００２６】
このように構成された歩行型耕耘機１によれば、図３に示すように、耕耘作業によって耕耘爪６に付着する泥土等は、回転中に着土除去部材１２ａ及び着土除去部材１２ｂの近傍を通過することにより除去される。
【００２７】
また、耕耘作業を続けていくうち、あるいは、作業場の土が軟弱のために耕耘刃６に土が付着しても、付着量が多くなっていくうちに、刃先６ａの上側は部材１２ａに、刃先６ａの下側（耕耘刃６の刃先内側）は部材１２ｂに付着した土は当たり、耕耘刃６から除去されるため、耕耘作業の効率の低下を抑制することができる。また、土の付着が減るため、耕耘軸部まで土が付着していき、耕耘爪が着脱しにくくなることも防止できる効果もある。
【００２８】
また、着土除去部材は耕耘軸の軸方向に折り曲げた耕耘爪に沿うように配置されていることにより、耕耘爪６に付着する泥土等をより効果的に除去することができる。
【００２９】
また、着土除去部材は泥除け板に設けられ、耕耘爪６側を向いて配置されていることで、除去した泥土等が作業者側に飛散することを抑制できる。
【００３０】
また、着土除去部材は耕耘軸に設けられる構成としたことで、耕耘爪６の内側に付着した泥土を効率的に除去することができる。また、泥土の除去を行える構成でありながら、刃先６ａが耕耘軸６の軸方向にオーバーラップして重なる構成としているため、耕耘時の作業性を向上させることができる。
【００３１】
更に、着土除去部材１２ａ及び着土除去部材１２ｂを周方向に隣り合う刃先６ａの間隔より短く形成したことにより、耕耘爪６の交換作業を容易に行うことができる。
【００３２】
以上、本発明を示す実施形態に基づき説明したが、本発明は上述の実施例に限定されるものではなく、その趣旨を逸脱しない範囲内で種々の変更が可能である。
【符号の説明】
【００３３】
１は歩行型耕耘機、３は伝動ケース、４はエンジン、５は耕耘軸、６は耕耘爪、６ａは耕耘爪の刃先、７は抵抗棒、８は泥除け板、１０は操縦ハンドル、１２ａ、１２ｂは着土除去部材、１３はワンウェイクラッチである。
【図１】
2011211966.tif 000003
【図２】
2011211966.tif 000004
【図３】
2011211966.tif 000005
【図４】
2011211966.tif 000006
【図５】
2011211966.tif 000007